(57)【要約】【課題】遊技球を各遊技状態に適した方向へ誘導可能とした弾球遊技機を提供する。【解決手段】遊技釘が多数植設された遊技領域６に、遊技球が入球可能な始動口１２と、遊技者にとって不利な閉鎖位置及び有利な開放位置に変位可能な可動部材１０を配置する。遊技球が始動口１２に入球したことを契機に、可動部材１０が、開放位置に短時間変位可能な第１遊技状態から、第１遊技状態に比して、可動部材１０が開放位置に長時間変位するかまたは開放位置に変位する頻度が高くなる第２遊技状態へ、またはその逆へ遷移可能とする。可動部材１０は、開放位置に変位したとき、始動口１２の上方にあり、かつ遊技球が通過しうる程度に互いに離間した２本の遊技釘９Ａ、９Ｂの間に対峙することにより、遊技球を始動口１２に入球する確率が高い方向へ誘導可能な誘導部１０１を有する。【選択図】  図２
2008125752.tif 000002
【特許請求の範囲】
【請求項１】
遊技釘が多数植設された遊技領域に、遊技球が入球または通過可能な始動口と、遊技者にとって不利な第１位置及び有利な第２位置に変位可能な可動部材を配置するとともに、遊技球が前記始動口に入球または通過したことを契機に、前記可動部材は、前記第２位置に所定時間または所定回数変位し、また、所定条件が成立した場合、前記可動部材が前記第１位置から前記第２位置に短時間または低頻度変位する第１遊技状態から、前記第１遊技状態に比して、前記可動部材が前記第１位置から前記第２位置に長時間または高頻度変位する第２遊技状態へ、またはその逆へ遷移可能とした弾球遊技機において、
前記可動部材は、前記第２位置に変位したとき、遊技球を前記始動口に入球または通過する確率が高い方向へ誘導可能とすることを特徴とする弾球遊技機。
【請求項２】
前記可動部材が第２位置に変位したとき、前記可動部材の端部に設けた誘導部が、前記始動口の上方にあり、かつ遊技球が通過しうる程度に互いに離間した２本の遊技釘の間に対峙するようにしたことを特徴とする請求項１記載の弾球遊技機。
【請求項３】
前記遊技領域に、遊技者にとって不利な第１状態及び有利な第２状態に変化可能な大入賞装置、及び遊技球が入球または通過可能な他の始動口をそれぞれ配置して、前記他の始動口に遊技球が入球または通過したことを契機に所定の確率に基づいて、前記大入賞装置が第１状態から第２状態に変化可能であり、
前記可動部材が第１位置にあるとき、前記誘導部は、前記２本の遊技釘の間から退避して、前記遊技領域に打ち込まれた遊技球を、前記他の始動口に入球または通過する確率が高い方向へ流下させ得るようにしたことを特徴とする請求項２記載の弾球遊技機。
【請求項４】
前記可動部材が第２位置にあるとき、前記誘導部は、前記２本の遊技釘の間を遊技球が通過できないように、前記２本の遊技釘の間に対峙することを特徴とする請求項２または３記載の弾球遊技機。
【請求項５】
前記可動部材は、前記始動口の側方に配置されるとともに、上下方向を向く状態で第１位置となり、また、左右方向を向く状態で第２位置になることを特徴とする請求項１〜４のいずれかに記載の弾球遊技機。
【発明の詳細な説明】
【技術分野】
【０００１】
本発明は、所定の条件が成立したとき、第１遊技状態から第２遊技状態へ、またはその逆へ遷移可能とした弾球遊技機に関する。
【背景技術】
【０００２】
弾球遊技機（パチンコ機）において、遊技領域に打ち込まれた遊技球が第１始動口に入球したことを契機に所定の確率に基づいて、演出図柄が所定の組み合わせで確定表示すると、大入賞装置が所定回数、開閉を繰り返す第１特定遊技状態となって、遊技者に所定の遊技価値を付与する第１種遊技仕様と、第２始動口に入球したことを契機に、可動部材が開放し、その間に遊技球が役物装置内の特定入賞口に入賞すると、可動部材が所定回数、開閉する第２特定遊技状態となって、遊技者に所定の遊技価値を付与する第２種遊技仕様の遊技を行うことができるようにしたものがある。また、遊技中に、所定の条件が成立すると、例えば、第１特遊技状態の終了後、第１遊技状態（通常の遊技状態）に比して、可動部材の開放時間または開閉動作の頻度が高くなるようにした第２遊技状態（特別の遊技状態）に移行する（例えば、特許文献１参照）。
【特許文献１】特開２００６−５１２０３号公報
【発明の開示】
【発明が解決しようとする課題】
【０００３】
上述のような弾球遊技機においては、遊技が第２遊技状態にある場合、可動部材の開放時間または開閉動作の頻度が高くなることから、遊技球を特定入賞口に入賞させることを目的とした第２種遊技仕様の遊技が基本となる。したがって、第２遊技状態においては、遊技球が第１始動口に入球するよりも、第２始動口に入球する方が遊技者にとっては有意義である。しかし、遊技領域に打ち込まれた遊技球は、遊技が第２遊技状態に移行しても、遊技球が第２始動口に入球する確率が高くなるわけではないため、遊技球が第２始動口に入球しないで、第１始動口へ向けて流下し過ぎると、遊技者の遊技の興趣を削いでしまうという問題点がある。
【０００４】
上記問題点を解決するために、仮に遊技釘の配列を変更して、第２始動口に入球する確率を高くしても、今度は、遊技状態が第１遊技状態に移行した場合、遊技球が第２始動口の方にばかり流下してしまい、第１始動口に入球しないという問題が発生する。また、遊技店の営業時間内での遊技釘の調整は規則で禁止されているため、その時の遊技状態に合わせて、その都度、遊技釘を調整することはできない。仮に、遊技釘の調整が認められたとしても、余計な手間がかかるとともに、釘調整の度に遊技が中断されてしまい、遊技の興趣が削がれてしまうという問題を有する。
【０００５】
本発明は、上述のような課題に鑑み、遊技球を各遊技状態に適した方向へ誘導可能とした弾球遊技機を提供することを目的とする。
【課題を解決するための手段】
【０００６】
本発明によると、上記課題は、次のようにして解決される。
（１）遊技釘が多数植設された遊技領域に、遊技球が入球または通過可能な始動口と、遊技者にとって不利な第１位置及び有利な第２位置に変位可能な可動部材を配置するとともに、遊技球が前記始動口に入球または通過したことを契機に、前記可動部材は、前記第２位置に所定時間または所定回数変位し、また、所定条件が成立した場合、前記可動部材が前記第１位置から前記第２位置に短時間または低頻度変位する第１遊技状態から、前記第１遊技状態に比して、前記可動部材が前記第１位置から前記第２位置に長時間または高頻度変位する第２遊技状態へ、またはその逆へ遷移可能とした弾球遊技機において、前記可動部材は、前記第２位置に変位したとき、遊技球を前記始動口に入球または通過する確率が高い方向へ誘導可能とする。
【０００７】
（２）上記(１)項において、前記可動部材が第２位置に変位したとき、前記可動部材の端部に設けた誘導部が、前記始動口の上方にあり、かつ遊技球が通過しうる程度に互いに離間した２本の遊技釘の間に対峙するようにする。
【０００８】
（３）上記(２)項において、前記遊技領域に、遊技者にとって不利な第１状態及び有利な第２状態に変化可能な大入賞装置、及び遊技球が入球または通過可能な他の始動口をそれぞれ配置して、前記他の始動口に遊技球が入球または通過したことを契機に所定の確率に基づいて、前記大入賞装置が第１状態から第２状態に変化可能であり、前記可動部材が第１位置にあるとき、前記誘導部は、前記２本の遊技釘の間から退避して、前記遊技領域に打ち込まれた遊技球を、前記他の始動口に入球または通過する確率が高い方向へ流下させ得るようにする。
【０００９】
（４）上記(２)または(３)項において、前記可動部材が第２位置にあるとき、前記誘導部は、前記２本の遊技釘の間を遊技球が通過できないように、前記２本の遊技釘の間に対峙する。
【００１０】
（５）上記(１)〜(４)項のいずれかにおいて、前記可動部材は、前記始動口の側方に配置されるとともに、上下方向を向く状態で第１位置となり、また、左右方向を向く状態で第２位置になる。
【発明の効果】
【００１１】
本発明によれば、次のような効果が奏せられる。
請求項１に係わる発明によると、可動部材が第２位置に変位したとき、遊技球を始動口に入球または通過する確率が高い方向へ誘導可能とすることにより、遊技が第２遊技状態にある場合、可動部材を遊技者によって有利な第２位置になる頻度を高めて、遊技の興趣を向上させることができる。
【００１２】
請求項２に係わる発明によると、可動部材が第２位置に変位したとき、可動部材の端部に設けた誘導部が、始動口の上方にあり、かつ遊技球が通過しうる程度に互いに離間した２本の遊技釘の間に対峙するようにしたことにより、遊技球を始動口に入球または通過する確率が高い方向へ安定して誘導させることができる。
【００１３】
請求項３に係わる発明によると、第１遊技状態にあるとき、遊技球が他の始動口に入球または通過する確率が高い方向へ流下させることができる。これにより、遊技釘を調整することなく、遊技球を各遊技状態に適した方向へ流下させることができ、遊技の興趣をより一層高めることができる。
【００１４】
請求項４に係わる発明によると、可動部材が第２位置に変位することにより、遊技球を始動口に入球または通過する確率が高い方向へ確実に誘導することができる。
【００１５】
請求項５に係わる発明によると、可動部材が第１、２位置に変位することによって、各遊技状態に適した方向へ遊技球を確実に流下させることができる。
【発明を実施するための最良の形態】
【００１６】
以下、本発明の実施形態を、図面に基づいて説明する。図１は、本発明の第１実施例を適用した弾球遊技機の正面図、図２は、遊技盤の正面図、図３は、要部の拡大正面図、図４は、第２実施例の要部の拡大正面図、図５は、第３実施例の要部の拡大正面図である。なお、以下の説明においては、各図の図面手前を「前方」とし、図面奥側を「後方」とし、左方を「左方」とし、右方を「右方」とする。
【００１７】
図１に示すように、弾球遊技機をなすパチンコ機１は、遊技店の遊技島に据え付けられる外枠２と、外枠２に嵌め込まれる遊技盤３と、外枠２に開閉可能に枢着された前扉５とを備え、前面右下部に設けられたハンドル４ａを時計方向へ回転操作することにより、球貯留皿４ｂに貯留されている遊技球が図示略の発射装置から後述の遊技領域６に打ち込まれることにより、後述の第１種遊技仕様と第２種遊技仕様の遊技を行うことができる。
【００１８】
遊技盤３の盤面（前面）には、外側ガイドレール７及び内側ガイドレール８によって包囲される円形（楕円形を含む）の遊技領域６が形成される。ハンドル４ａの操作に基いて、発射装置から発射される遊技球は、ガイドレール７、８により誘導されて遊技領域６に打ち込まれ、遊技領域６に植設された多数の遊技釘９に当接しながら流下する。
【００１９】
遊技領域６には、多数の遊技釘９の他に、左部に可動部材１０を開閉可能に支持した役物装置１１と、遊技領域６を流下する遊技球が入球または通過可能な始動口をなすゲート１２と、遊技球の流下方向を変化させる風車１３と、遊技球が入球または通過可能な他の始動口をなす図柄始動口１４と、遊技球が入球可能な小入賞装置１５及び大入賞装置１６が配置されている。また、遊技領域６の最下部には、遊技領域６に打ち込まれた遊技球を遊技盤３の裏面側に排出するためのアウト口１７が設けられている。
【００２０】
遊技盤３における役物装置１１の後方には、液晶ディスプレイ等により構成される演出表示装置（図示略）が配置されている。演出表示装置には、遊技に関する数字や図柄等で構成される演出図柄１８が表示される。演出図柄１８は、役物装置１１の前面に設けた透視部１１１を透して視認することができる。
【００２１】
なお、役物装置１１は、遊技領域６のほぼ中央部、ゲート１２は、役物装置１１の左側方、図柄始動口１４は、ゲート１２の斜め下方、小入賞装置１５は、図柄始動口１４の真下、また大入賞装置１６は、小入賞装置１５の真下にそれぞれ配置される。
【００２２】
役物装置１１の透視部１１１に表示される演出図柄１８は、遊技球が図柄始動口１４に入球したことを契機に変動表示した後、所定の確率に基づいて、確定表示される。
【００２３】
大入賞装置１６は、演出図柄が予め定められた組み合わせで確定表示されると、遊技者にとって不利な第１状態（遊技球が大入賞装置１６に実質的に入賞不能な閉鎖状態）から、有利な第２状態（遊技球が大入賞装置１６に入賞可能な開放状態）に変化することにより、第１種遊技仕様における第１特定遊技状態となって、遊技者に所定の遊技価値を付与する。そして、大入賞装置１６が所定回数、開閉動作を繰り返す等して、第１特定遊技状態が終了する。また、確定表示された演出図柄が予め定められた特定演出図柄の場合には、第１特定遊技状態が終了した時点から、遊技は後述の第１遊技状態から後述の第２遊技状態に移行する。
【００２４】
小入賞装置１５は、遊技球がゲート１２を通過したことを契機に、遊技球が実質的に入賞不能な閉鎖位置から遊技球が入賞可能な開放位置に変化する。遊技が後述の第１遊技状態にある場合、小入賞装置１５が開放位置に変位する時間は短時間である。また、後述の第２遊技状態にある場合、小入賞装置１５が開放位置に変位する時間は、第１遊技状態に比して長時間となるか、または開放位置に変位する頻度が高くなる。
【００２５】
可動部材１０は、ゲート１２の左側方に配置されるように、その下端部が役物装置１１の左側部に揺動可能に支持され、図１〜３に実線で示すように、上下方向を向く閉鎖位置（第１位置）と、同じく想像線で示すように、左右方向を向く開放位置（第２位置）に変位可能であり、閉鎖位置にあるときは、役物装置１１の左側部に設けられた入球口１１２を閉鎖し、また、開放位置にあるときは、入球口１１２を開放して、遊技領域６に打ち込まれた遊技球を入球口１１２に入球可能とする。
【００２６】
可動部材１０の揺動端部には、遊技球の流下方向を変化させるための誘導部１０１が設けられている。誘導部１０１は、可動部材１０が開放位置にあるとき、多数の遊技釘のうちゲート１２の上方に互いに所定の間隔をもって配置された２本の遊技釘９Ａ、９Ｂの間に対峙し、また、同じく閉鎖位置にあるとき、２本の遊技釘９Ａ、９Ｂの間から退避する。なお、２本の遊技釘９Ａ、９Ｂの間は、遊技球が通過し得る程度に離間している。
【００２７】
可動部材１０が開放位置に変位して、誘導部１０１が２本の遊技釘９Ａ、９Ｂ間に対峙している場合、遊技球が遊技釘９Ａ、９Ｂ間を通過し難い状態となる。換言すると、可動部材１０が閉鎖位置にある場合、２本の遊技釘９Ａ、９Ｂ間の隙間は、遊技球が余裕をもって通過し得るものであるが、可動部材１０が開放位置にある場合、２本の遊技釘９Ａ、９Ｂ間の隙間は、遊技球の直径より僅かに大きいものとなる。よって、遊技領域６に打ち込まれた遊技球のうち流路Ａ（図２、３参照）を辿って流下する遊技球は、２本の遊技釘９Ａ、９Ｂ間を通過する確率が低くなるため、ゲート１２に向かう方向へ誘導される確率が高くなる。また、可動部材１０が閉鎖位置にあって、誘導部１０１が２本の遊技釘９Ａ、９Ｂの間から退避している場合、流路Ａを辿って流下する遊技球は、２本の遊技釘９Ａ、９Ｂの間を通過する確率が高いため、図柄始動口１４に向かう流路Ｂ（図２、３参照）を辿って流下して、図柄始動口１４に入球する確率が高くなる。
【００２８】
可動部材１０が開放位置にある間、入球口１１２に入球した遊技球は、役物装置１１内に下部に形成されたステージ１１３上に誘導され、ステージ１１３に設けられた特定入賞口（図示略）または通常入賞口（図示略）のいずれかに所定の確率に基づいて入賞する。遊技球が特定入賞口に入賞した場合には、第２種遊技仕様における後述の第２特定遊技状態となって、遊技者に所定の遊技価値を付与する。
【００２９】
次に、第１、２遊技状態及び第１、２種遊技仕様について説明する。
（第１遊技状態）
遊技領域６に打ち込まれた遊技球が、ゲート１２に入球すると、これを契機に、所定の確率（例えば、１／５の確率）で、小入賞装置１５が予め定めた短い時間（例えば、０．５秒）だけ開閉動作を行う。そして、開放した状態の小入賞装置１５に遊技球が入賞した場合には、これを契機に可動部材１０が予め定めた短い時間（例えば、０．５秒）だけ開閉動作を行う。しかし、この第１遊技状態においては、小入賞装置１５に遊技球が入球しても、可動部材１０の開放時間が短時間であるため、遊技球が役物装置１１の入球口１１２に入球する確率は極めて低い。よって、この状態においては、第１種遊技仕様に基づく遊技が基本となり、遊技球がゲート１２に入球するより、図柄始動口１４に入球する方が、遊技者にとっては有意義となる。
【００３０】
そのため、本実施例においては、第１遊技状態にある場合、可動部材１０が開放位置に変位する確率が低いことから、遊技球が図柄始動口１４へ向く経路Ｂを辿って図柄始動口１４へ向けて流下する確率が高くなるようにしている。
【００３１】
（第１種遊技仕様）
遊技領域６に打ち込まれた遊技球が図柄始動口１４に入球すると、これを契機に所定の確率に基づいて、演出図柄１８が変動表示した後、所定時間経過後、停止して確定表示される。そして、確定表示された演出図柄１８の組み合わせが、予め定められた表示態様になった場合のみ、第１種遊技仕様における第１特定遊技状態を生起させ、大入賞装置１６を第１状態から第２状態に変化させる。
【００３２】
第１特定遊技状態においては、大入賞装置１６に遊技球が１０個入賞するか、または開放してから３０秒が経過すると、大入賞装置１６は閉鎖する。また、大入賞装置１６が開放している最中、大入賞装置１６内に設けた特定領域センサ（図示略）が遊技球の入賞を検出した場合には、閉鎖後に再度開放する。これを最大１５回まで繰返した後、第１特定遊技状態が終了した後、第２遊技状態に移行する。
【００３３】
（第２遊技状態）
遊技領域６に打ち込まれた遊技球が、ゲート１２に入球すると、これを契機に、所定の確率（例えば、１／１.１）で、小入賞装置１５が、第１遊技状態のときに比して、長時間（例えば、２秒）開放し、その開放を２回繰り返す。そして、開放している小入賞装置１５に遊技球が入賞すると、これを契機に、第１遊技状態のときに比して、可動部材１０が長時間、開放位置に変位する。したがって、この第２遊技状態においては、可動部材１０が開放位置に変位する頻度が高くなって、遊技球が役物装置１１の入球口１１２に入球する確率が高いため、第２種遊技仕様に基づく遊技が基本となる。したがって、この第２遊技状態においては、遊技球が図柄始動口１４に入球するより、ゲート１２に入球する方が遊技者にとって有意義である。
【００３４】
そのため、本実施例においては、第２遊技状態にあるとき、開放位置に変位する頻度が高い可動部材１０の誘導部１０１が、ゲート１２の上方に配置された２本の遊技釘９Ａ、９Ｂ間に対峙することによって、遊技球が２本の遊技釘９Ａ、９Ｂの間を通過して、図柄始動口１４へ向かう流路Ｂに流下するのを規制して、遊技球をゲート１２に向けて流下する方向へ誘導する。その結果、遊技球は、ゲート１２に入球する確率が高くなる。
【００３５】
（第２種遊技仕様）
遊技領域６に打ち込まれた遊技球がゲート１２に入球すると、これを契機に小入賞装置１５が遊技状態に応じた時間、開放する。小入賞装置１５が開放している間、遊技球が小入賞装置１５に入球すると、これを契機に、可動部材１０が、遊技状態に応じた時間、開放する。
【００３６】
可動部材１０が開放している間、遊技球が役物装置１１の入球口１１２に入球して、通常入賞口に入賞した場合は、所定数の遊技球を賞球として払い出す。また、特定入賞口に入賞した場合は、所定数の遊技球を賞球として払い出すことに加え、第２種遊技仕様の第２特定遊技状態を生起させ、可動部材１０が複数回開閉動作を繰り返し、その間に再び遊技球が特定入賞口に入賞すると当該ラウンドを終了して、次のラウンドに移行して、再度、可動部材１０が複数回開閉動作を繰り返す。このラウンドを所定回数繰り返した後、第２特定遊技状態は終了する。
【００３７】
（第２実施例）
図４に示す第２実施例における可動部材２０は、先太形状をなし、前記実施例と同様に、想像線示す閉鎖位置（第１位置）及び実線で示す開放位置（第２位置）に変位可能で、開放位置にあるとき、先端部に設けられた誘導部２０１が、ゲート１２の上方に配置された２本の遊技釘９Ａ、９Ｂの間に対峙して、遊技釘９Ａ、９Ｂの間の間隙を完全に閉鎖する。これにより、遊技球が２本の遊技釘９Ａ、９Ｂの間を通過することが完全に規制して、遊技球をゲート１２に向けて流下する方向へ確実に誘導させることができる。
【００３８】
（第３実施例）
図５に示す第３実施例における可動部材３０は、前記実施例と同様に、想像線示す閉鎖位置（第１位置）及び実線で示す開放位置（第２位置）に変位可能であるとともに、端部には、振り子部材３１が設けられている。
【００３９】
可動部材３０が開放位置に変位した場合には、振り子部材３１が可動部材３０の端部から垂下して、可動部材３０の先端部に設けられた誘導部３０１及び振り子部材３１が、ゲート１２の上方に配置された２本の遊技釘９Ａ、９Ｂの間に対峙して、遊技釘９Ａ、９Ｂの間の間隙を完全に閉鎖する。これにより、遊技球が２本の遊技釘９Ａ、９Ｂの間を通過することが完全に規制して、遊技球をゲート１２に向けて流下する方向へ確実に誘導させることができる。
【００４０】
また、可動部材３０が閉鎖位置に変位した場合には、可動部材３０の誘導部３０１及び振り子部材３１が、２本の遊技釘９Ａ、９Ｂ間から退避するとともに、振り子部材３１が可動部材３０の端部に収納される。これにより、遊技球が可動部材３０の近傍を流下する際、振り子部材３１に衝突してその流下方向が変化させられることがなくなり、遊技球をゲート１２に円滑に向けて流下させることができる。
【００４１】
以上、本発明の各実施形態について説明したが、本発明の要旨を逸脱しない範囲内で、各実施形態に対して、次のような種々の変形や変更を施すことが可能である。
（ｉ）遊技球がゲート１２に入球したとき、遊技球が小入賞装置１５に入球するか否かに無関係に、可動部材１０、２０、３０が開放位置に変位するようにする。
（ii）小入賞装置１５を省略する。また、第２入賞装置１６を他の構成とする。
（iii）第１遊技状態から第２遊技状態へ、またはその逆へ遷移するための所定条件を、ゲート１２や図柄始動口１４や小入賞装置１５への通過もしくは入球が所定個数に達したこと、可動部材１０、２０、３０の変位回数が所定回数に達したこと、前回の特定遊技（大当り遊技）から所定時間が経過したこと、等にしても良い。また、第２特定遊技状態の発生時に、遊技状態を遷移させるか否かを抽選して、それに当選した場合や、ゲート１２や図柄始動口１４や小入賞装置１５への入賞時に予め遊技状態を遷移させるか否かを抽選して、それに当選し、かつ第２特定遊技状態が発生した場合に遊技状態を遷移させるようにしても良い。さらには、これら全てを所定条件として設定しても良い。
【図面の簡単な説明】
【００４２】
【図１】本発明の第１実施例を適用した弾球遊技機の正面図である。
【図２】遊技盤の正面図である。
【図３】要部の拡大正面図である。
【図４】第２実施例の要部の拡大正面図である。
【図５】第３実施例の要部の拡大正面図である。
【符号の説明】
【００４３】
１  弾球遊技機
２  外枠
３  遊技盤
４ａ  ハンドル
４ｂ  球貯留皿
５  前扉
６  遊技領域
７  外側ガイドレール
８  内側ガイドレール
９、９Ａ、９Ｂ  遊技釘
１０、２０、３０  可動部材
１１  役物装置
１２  ゲート（始動口）
１３  風車
１４  図柄始動口（他の始動口）
１５  小入賞装置
１６  大入賞装置
１７  アウト口
１８  演出図柄
３１  振り子部材
１０１、２０１、３０１  誘導部
１１１  透視部
１１２  入球口
１１３  ステージ
【図１】
2008125752.tif 000003
【図２】
2008125752.tif 000004
【図３】
2008125752.tif 000005
【図４】
2008125752.tif 000006
【図５】
2008125752.tif 000007